【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
凍結状態の第１の材料を凝固点抑制剤の一部と組み合わせるステップと、
前記凝固点抑制剤の前記一部と前記組み合わされた第１の材料を利用して第２の材料を凍結させるステップと、
を含む方法。
【請求項２】
前記凍結状態の前記第２の材料を前記凝固点抑制剤の別の一部と組み合わせるステップを更に含む、請求項１に記載の方法。
【請求項３】
前記凍結状態の前記第１の材料を前記凝固点抑制剤の前記一部と組み合わせる前記ステップにより、前記凍結状態の前記第１の材料が融解され、前記凝固点抑制剤の前記一部と組み合わされた液体状態の前記第１の材料が形成され、前記凝固点抑制剤と組み合わされた前記液体状態の前記第１の材料は、温度が、前記凍結状態の前記第１の材料の温度より低くなる、請求項１又は２に記載の方法。
【請求項４】
前記第１の材料と前記第２の材料は同じタイプの材料である、請求項１から３のいずれか一項に記載の方法。
【請求項５】
前記同じタイプの材料は、少なくとも水、有機材料、イオン液体、無機材料、又はＤＭＳＯである、請求項４に記載の方法。
【請求項６】
前記凝固点抑制剤は、少なくとも水、アルコール、イオン液体、アミン、アンモニア、塩、無塩可溶固体、有機液体、無機液体、混和性材料の混合物、又は界面活性剤で安定化された不混和性材料の混合物である、請求項１から５のいずれか一項に記載の方法。
【請求項７】
前記凝固点抑制剤と前記組み合わされた第１の材料を利用して前記第２の材料を凍結させる前記ステップは、前記凝固点抑制剤と前記組み合わされた第１の材料と熱的に結合される間接熱交換器を利用して前記第２の材料を凍結させるステップを含む、請求項１から６のいずれか一項に記載の方法。
【請求項８】
前記間接熱交換器を利用する前記ステップは、
前記組み合わされた第１の材料及び前記凝固点抑制剤と、前記間接熱交換器を通り抜ける冷却液の第１の部分との間で熱交換を行うステップと、
前記冷却液の前記冷却された第１の部分と、前記第２の材料を凍結させるように構成された製氷器との間で熱交換を行うステップと、
を含む、
請求項７に記載の方法。
【請求項９】
前記冷却液の第２の部分を蒸気圧縮冷却熱交換器に通すステップと、
前記冷却液の冷却された前記第２の部分を前記冷却液の冷却された前記第１の部分と組み合わせるステップと、
前記冷却液の、前記組み合わされた、冷却された第１の部分及び冷却された第２の部分と、前記第２の材料を凍結させるように構成された前記製氷器との間で熱交換を行うステップと、
を更に含む、請求項８に記載の方法。
【請求項１０】
前記凝固点抑制剤と前記組み合わされた第１の材料を利用して前記第２の材料を凍結させる前記ステップは、前記凝固点抑制剤と前記組み合わされた第１の材料と熱的に結合される第１の直接熱交換器を利用して前記第２の材料を凍結させるステップを含む、請求項１から９のいずれか一項に記載の方法。
【請求項１１】
冷却液と、前記第２の直接熱交換器との間で熱交換を行うことにより、前記第２の材料を凍結させるステップと、
前記冷却液と、前記凝固点抑制剤と前記組み合わされた第１の材料とを組み合わせるステップと、
前記冷却液の一部を、前記凝固点抑制剤と前記組み合わされた第１の材料とともに外にブリードするステップと、
を更に含む、請求項１０に記載の方法。
【請求項１２】
前記間接熱交換器を利用する前記ステップは、
冷媒を復水器に通すステップと、
前記冷媒が前記復水器を通り抜けた後に前記間接熱交換器を利用して、前記組み合わされた第１の材料及び凝固点抑制剤と前記冷媒との間で熱交換を行うステップと、
前記冷媒を膨張器に通してから前記冷媒を利用して前記第２の材料の凍結を促進するステップと、
を含む、
請求項７に記載の方法。
【請求項１３】
前記冷媒を利用して、前記冷媒と、前記第２の材料を凍結させるように構成された製氷器と結合される冷却液との間で熱交換を行うことにより、前記第２の材料の凍結を促進する、請求項１２に記載の方法。
【請求項１４】
前記冷媒を利用して、前記冷媒と、前記第２の材料を凍結させるように構成された製氷器の熱交換器との間で熱交換を行うことにより、前記第２の材料の凍結を促進する、請求項１２に記載の方法。
【請求項１５】
前記凍結状態の前記第１の材料を前記凝固点抑制剤の前記一部と組み合わせる前記ステップは、前記凝固点抑制剤の前記一部が前記凍結状態の前記第１の材料を通る際の水圧流によって、前記凍結状態の前記第１の材料と前記凝固点抑制剤の前記一部とを混合するステップを含む、請求項１から１４のいずれか一項に記載の方法。
【請求項１６】
凍結状態の第１の材料を凝固点抑制剤と組み合わせるように構成されたタンクと、
前記組み合わされた第１の材料及び前記凝固点抑制剤と熱的に結合される１つ以上の熱交換器であって、前記１つ以上の熱交換器のうちの少なくとも１つが、第２の材料を凍結させるように構成されている、前記１つ以上の熱交換器と、
を含むシステム。
【請求項１７】
前記１つ以上の熱交換器のうちの少なくとも１つが、冷却液を、前記組み合わされた第１の材料及び凝固点抑制剤と熱的に結合するように構成されており、
前記冷却液は、前記第２の材料を凍結させるように構成された前記熱交換器と熱的に結合される、
請求項１６に記載のシステム。
【請求項１８】
前記１つ以上の熱交換器のうちの少なくとも１つが、冷媒を、前記組み合わされた第１の材料及び凝固点抑制剤と熱的に結合するように構成されており、前記１つ以上の熱交換器のうちの少なくとも１つが、前記冷媒を前記冷却液と熱的に結合するように構成されている、請求項１６又は１７に記載のシステム。
【請求項１９】
前記タンクは、前記凍結した第２の材料を受けるように構成されている、請求項１６から１８のいずれか一項に記載のシステム。
【請求項２０】
第１の材料を固体化する手段と、
前記固体化された状態の前記第１の材料を凝固点抑制剤と組み合わせる手段と、
前記組み合わされた第１の材料及び前記凝固点抑制剤を、前記第１の材料を固体化する前記手段と熱的に結合する手段と、
を含むシステム。
【手続補正２】
【補正対象書類名】明細書
【補正対象項目名】０００２
【補正方法】変更
【補正の内容】
【０００２】
本発明は、全米科学財団により授与された契約１５３３９３９に基づく米国政府の支援によりなされたものである。米国政府は、本発明に一定の権利を有する。
異種材料間の熱伝達は、様々な方法で実施可能である。例えば、熱交換器は、１つ以上の流体の間の熱伝達に利用可能である。熱交換器は、暖房、冷却、空調などの様々な技術において利用可能である。例えば、復熱器は、システム内の熱伝達を促進して効率を高めることが可能な、特殊なタイプの熱交換器である。
【手続補正３】
【補正対象書類名】明細書
【補正対象項目名】００７４
【補正方法】変更
【補正の内容】
【００７４】
図８Ｂは、様々な実施形態による復熱の方法８００−ｂのフロー図を示す。方法８００−ｂは、図１Ａのシステム１００−ａ、図１Ｂのシステム１００−ｂ、図１Ｃのシステム１００１、図２のシステム２００、図３のシステム３００、図４のシステム４００、図５のシステム５００、図６のシステム６００、及び／又は図７のシステム７００において示されたようなシステムを利用して実施されてよい。方法８００−ｂは、図８Ａの方法８００−ａの一例であってよい。図８Ｂでは、選択された特定のステップが示されているが、これらが示されている順序は例示的なものに過ぎない。本発明の様々な実施形態によれば、いくつかのステップを別の順序で実施することも可能であり、いくつかのステップを省略することも可能であり、更なるいくつかのステップを追加することも可能である。以下の説明では、これらの実施形態の全てではないが幾つかについて述べる。